(57)【要約】【課題】従来の光ディスクケースでは、光ディスクのタイトルやコンテンツを記載するラベルは、光ディスクケースの内部に収納されているために、タイトルやコンテンツを書き換えたりする際に、その都度光ディスクケースからラベルを取り出さなければならず非常に不便であった。【解決手段】底板と底板と、これら底板と天板の各辺に接合され、底板と天板に直角な側壁とから構成された光ディスクケースであって、底板外表面または天板外表面の少なくともいずれかには、収納されている光ディスクのタイトル等を表示する背表紙タイトル表示領域を設け、光ディスクケース内部には、この背表紙タイトル表示領域に表示された表示内容を側壁に投影する背表紙タイトル表示領域投影手段を構成した。【選択図】  図６
2004192772.tif 000002
【特許請求の範囲】
【請求項１】
内部に収納される光ディスクの表裏面と平行な底板と、前記光ディスクに対して前記底板と反対側に位置し、前記光ディスクの表裏面に平行な天板と、前記底板と前記天板の各辺に接合され、前記底板および前記天板と略直角な側壁とから構成された光ディスクケースであって、前記底板外表面または前記天板外表面の少なくともいずれかには、収納されている前記光ディスクのタイトル等を表示する背表紙タイトル表示領域が設けられ、前記光ディスクケース内部に、前記背表紙タイトル表示領域に表示された表示内容を前記側壁に投影する背表紙タイトル表示領域投影手段を有することを特徴とする光ディスクケース。
【請求項２】
前記背表紙タイトル表示領域投影手段は前記底板と前記天板に対して傾斜角４５°の傾斜面を有していることを特徴とする請求項１に記載の光ディスクケース。
【請求項３】
前記背表紙タイトル表示領域投影手段は前記底板と前記天板に対して傾斜角４５°の傾斜面と、前記底板と前記天板に対して平行な平行面が交互に接合された階段形状であることを特徴とする請求項１に記載の光ディスクケース。
【発明の詳細な説明】
【０００１】
【発明の属する技術分野】本発明は光ディスクドライブにセットして記録再生を行なう光ディスクを収納保存するために用いる光ディスクケースに関するものである。
【０００２】
【従来の技術】従来の光ディスクケースの中で最も一般的に良く知られているＣＤ（コンパクトディスク）、ＣＤ−ＲＯＭ、ＤＶＤ−ＲＯＭ等の再生専用光ディスクを収納するための光ディスクケースにおいては、光ディスクに記録されている内容などを表示するラベル類は、光ディスクケースの内部に収納されている（例えば、特許文献１、特許文献２、特許文献３参照）。一方ＭＯ（光磁気ディスク）、ＭＤ（ミニディスク）、ＤＶＤ−ＲＡＭ等の記録型光ディスクを収納するための光ディスクケースにおいては、光ディスク表面へのゴミや指紋の付着を防止するために、光ディスクと光ディスクケースが分解困難な構造のカートリッジタイプとして一体的に構成されたものが多く提案されている。この場合光ディスクに記録されている内容を表示するラベル類はカートリッジ外表面に貼り付けられていることが多い（例えば特許文献４、特許文献５）。
【０００３】
【特許文献１】
特許第２９９６９４４号公報（第１６頁、図１）
【特許文献２】
特開平１０−３５７６６号公報（第４頁、図１）
【特許文献３】
特開平９−１３４５８１号公報（第５頁、図１）
【特許文献４】
特開昭６３−１８７４５４号公報（第６頁、図９）
【特許文献５】
特開２０００−１１６００号公報（第５頁、図１）
【０００４】図９は従来の再生専用光ディスク用に多く用いられている典型的な光ディスクケースを示す構成図であり、光ディスクケースと収納される光ディスクを分解して示した分解構造図である。
【０００５】図９において６３は矩形形状の底板、６７、６８、６９、および７０はこの底板６３に対して直角に接合された側壁である。側壁６７、６９の端部には回動孔６７ａ、６９ａ（図中は側壁７０に隠れて見えていない）がそれぞれ設けられている。矩形形状の天板６２と直角に接合された側壁６４、６６には回同軸６４ａ（図中は側壁６４の裏面にあるため見えてない）、回同軸６６ａが形成されている。回同軸６４ａ、６６ａはそれぞれ対向する位置に配置された回動孔６７ａ、６９ａに矢印Ｃのように挿入され回動支持されている。そのため上ケース７１と下ケース７２は回動自在であり、光ディスクケースの開閉を可能にしている。底板６３の上には光ディスクに記録された内容を表示した下ラベル７３と下ラベル７３の端部を直角に折り曲げて背表紙にして、光ディスクのタイトルなどを表示した背表紙タイトル表示領域７３ａが矢印Ｂのように置かれる。下ラベル７３の上には、収納される光ディスク６１を矢印Ａのように位置決め保持する中ケース７４が矢印Ｅのように置かれ、最後に上ラベル７５が矢印Ｄのように上ケース７１の内側に挿入され、前述の如く矢印Ｃの係合により下ケース７２に組み付けられる。
【０００６】図１０は図９の各パーツを積層して組み立てられ完成した光ディスクケースである。図１１は図１０の光ディスクケースをＸ−Ｘ断面で切断した断面図を示したものである。図１１において、底板６３と中ケース７４間に挟みこまれた下ラベル７３には光ディスクに記録されている詳細な内容が表示されており、下ラベル７３の端部を直角に折り曲げた背表紙タイトル表示領域７３ａには、光ディスクのタイトルなどが表示されている。光ディスクケースは透明なプラスチックから出来ているので、視点ＥＰ５から背表紙タイトル表示領域７３ａに表示された内容を見たり、視点ＥＰ６から透明な底板６３を通して下ラベル７３を見たりすることが出来る。
【０００７】一方、図１２は従来の記録型光ディスク用に多く用いられている典型的なカートリッジタイプの光ディスクケースを示す構成図である。図１２において８１は光ディスクカートリッジ８２の内部に収納されている記録型光ディスクである。光ディスクカートリッジ８２にはシャッター８３があり、矢印８４方向にスライドさせることによって記録型光ディスク８１が露出する。光ディスクカートリッジ８２の外表面には背表紙タイトル表示領域８６とコンテンツ記入領域８５が設けられている。
【０００８】
【発明が解決しようとする課題】以上のような従来の光ディスクケースが前述のような構造になっているのは次のような理由が考えられる。まず、現在広く用いられているＣＤ、ＤＶＤ−ＲＯＭ、ＤＶＤ−ＶＩＤＥＯのような再生専用光ディスクを収納する光ディスクケースでは、ユーザがラベルに記載してあるタイトルやコンテンツの内容を書き換えることがないので、底板６３と中ケース７４の間に挟みこまれ、下ラベル７３や背表紙タイトル表示領域７３ａが取り出しにくい構造であっても実用上大きな支障が無い為である。
【０００９】次に図１２で示した記録型光ディスク用ケースの場合は、内蔵の光ディスクが記録、消去、書き換えなどに対応しているために密閉型のカートリッジ構造になっている。ゴミや指紋などが付着し記録エラーが発生しないように密閉構造にする必要があると当初は考えられていた為である。
【００１０】しかし、近年より低コストな記録型光ディスクを求める市場ニーズの高まりから、カートリッジで密閉構造にしていない裸のＣＤ−Ｒ／ＲＷが一気に市場に浸透し市場実績を作ってきた。この流れはＤＶＤ−Ｒ／ＲＷ、ＤＶＤ−ＲＡＭでも同様で、規格化当初はカートリッジに密閉された構造で規格化されたが、最近では裸の記録型光ディスクが市場の主流である。
【００１１】以上のような流れの中で、最も普及し低コストな図９のような再生専用光ディスク用に使用されてきた光ディスクケースに、裸の記録型光ディスクケースが収納されるという組み合わせが現在定着している。しかし、この再生専用光ディスク用として開発された図９で示したような従来の光ディスクケースは、記録型光ディスク用としては以下のような理由から、機能的に非常に不十分で改善が求められている。
【００１２】最近ではＤＶＤ−ＲＡＭやＤＶＤ−ＲＷを用いてテレビ画像を録画記録するＤＶＤレコーダが急速に普及してきている。このＤＶＤレコーダは従来のＶＴＲのようなアナログ記録に比べてデジタル記録のメリットを生かし、録画画像の編集が容易であるとか、ダビングによる画像劣化が無いことなどから、今後ＶＴＲを完全に置き換える商品になっていくものと期待されている。従来のＶＴＲではテープの幅が広いために、テープカートリッジ背面に約２０ミリ＊１５０ミリの大きな面積の背表紙タイトル表示領域があり、そこに貼り付けた紙製の背表紙タイトル表示領域に鉛筆などで録画内容などを容易に筆記したり、また消しゴムで消して書き換えたりすることが可能であった。また、ＶＴＲテープを本棚やラックなどに多数収納していても背表紙タイトル表示領域を頼りに所望のＶＴＲテープを容易に探し出すことも可能であった。このような行動は既にユーザに深く根付いたものであるため、今後ＶＴＲテープにとってかわると考えられる記録型ＤＶＤディスクにおいても同じような機能が求められる。ところが、前述のように下ラベル７３の端部を直角に折り曲げた背表紙タイトル表示領域７３ａは光ディスクケースの内部に組み込まれており、しかも面積が非常に狭いために、背表紙タイトル表示領域７３ａを書き換えるたびに光ディスクケースを分解して下ラベル７３を光ディスクケース外に取り出し、背表紙タイトル表示領域７３ａを注意深く書き換えた後に再度光ディスクケースを組み立て直さなければならず、非常に面倒な作業が必要であるという新たな問題が発生している。また図１２で示すカートリッジタイプの従来の光ディスクケースにおいては背表紙タイトル表示領域８６は光ディスクケース外表面に露出している点では図９，図１０，図１１の従来例に比べて改善されてはいるものの、背表紙タイトル表示領域８６は光ディスクケース厚み方向に非常に狭いため、小さい文字で記入しなければならず、非常に筆記性が悪いといった問題が依然として残っている。
【００１３】
【課題を解決するための手段】本発明は以上のような従来の光ディスクケースの問題点を解決すべく発明されたものである。
【００１４】内部に収納される光ディスクの表裏面と平行な底板と、光ディスクに対して前記底板と反対側に位置し、光ディスクの表裏面に平行な天板と、底板と天板の各辺に接合され、底板および天板と略直角な側壁とから構成された光ディスクケースであって、底板外表面または天板外表面の少なくともいずれかには、収納されている光ディスクのタイトル等を表示する背表紙タイトル表示領域が設けられ、光ディスクケース内部にはこの背表紙タイトル表示領域に表示された表示内容を前記側壁に投影する背表紙タイトル表示領域投影手段が構成されている。また背表紙タイトル表示領域投影手段は底板と天板に対して傾斜角４５°の傾斜面を有している構造になっている。また背表紙タイトル表示領域投影手段は底板と天板に対して傾斜角４５°の傾斜面と、底板と天板に対して平行な平行面が交互に接合された階段形状である構成となっている。
【００１５】
【発明の実施の形態】まず、本発明の主な実施の形態の構成と作用について説明する。
【００１６】本発明の請求項１に記載の光ディスクケースは、内部に収納される光ディスクの表裏面と平行な底板と、光ディスクに対して前記底板と反対側に位置し、光ディスクの表裏面に平行な天板と、底板と天板の各辺に接合され、底板および天板と略直角な側壁とから構成された光ディスクケースであって、底板外表面または天板外表面の少なくともいずれかには、収納されている光ディスクのタイトル等を表示する背表紙タイトル表示領域が設けられ、光ディスクケース内部には、この背表紙タイトル表示領域に表示された表示内容を前記側壁に投影する背表紙タイトル表示領域投影手段が構成されている。この構成により、面積の広い底板外表面または天板外表面の少なくともいずれかの背表紙タイトル表示領域に表示された表示内容が、本来背表紙タイトルが表示されるべき側壁に投影されるという作用を有する。
【００１７】本発明の請求項２に記載の光ディスクケースは、請求項１に記載の光ディスクケースにおいて、背表紙タイトル表示領域投影手段は底板と天板に対して傾斜角４５°の傾斜面を有している構成になっている。この構成により底板または天板に設けられた背表紙タイトル表示領域からの光線を、この背表紙タイトル表示領域の内容が投影される底板および天板と略直角な側壁に反射するという作用を有する。
【００１８】本発明の請求項３に記載の光ディスクケースは、請求項１に記載の光ディスクケースにおいて、背表紙タイトル表示領域投影手段は底板と天板に対して傾斜角４５°の傾斜面と、底板と天板に対して平行な平行面が交互に接合された階段形状を有する構成である。この構成により背表紙タイトル表示領域の面積と、この背表紙タイトル表示領域の内容が投影される底板および天板と略直角な側壁の面積比を自由に設定することが出来るという作用を有する。
【００１９】以下、本発明の実施例について、図１〜図８を用いて説明する。図１は光ディスクケースの上ケースを閉じている状態を示す構成図、図２は光ディスクケースの上ケースを開いている状態を示す構成図、図３は光ディスクケースの上ケースを開いて光ディスクを取り出している状態を示す構成図、図４は光ディスクケースの分解図、図５は背表紙タイトル表示領域投影手段の第１の例を示す断面図、図６は背表紙タイトル表示領域投影手段の第２の例を示す断面図、図７は背表紙タイトル表示領域投影手段の第２の例における光路を示す図６のＹ部拡大説明図、図８は背表紙タイトル表示領域投影手段の第２の例における背表紙タイトルの文字の見え方を示す説明図である。
【００２０】
【実施例１】図１〜図５は本発明の請求項１、請求項２に関する第１の実施例を示す光ディスクケースの構成図である。図１、図２、図３、図４、および図５において３は矩形形状の底板、７、８、９および１０はこの底板３に対して直角に接合された側壁であり、下ケース１２を構成している。側壁７の端部には回動孔７ａ、側壁７の反対側に対向する側壁９の端部には、回動孔７ａに対向する対称な位置に回動孔９ａ（隠れて見えていない）がそれぞれ設けられている。
【００２１】２は矩形形状の天板、４、５、および６はこの天板２に対して直角に接合された側壁であり、上ケース１１を構成している。図４において側壁４、側壁６に形成された回同軸４ａ（図中は側壁４の裏面にあるために隠れて見えていない）、回同軸６ａが、それぞれ対向する位置に形成された回動孔７ａ、９ａに挿入され、回動支持されている。そのため上ケース１１と下ケース１２は回動自在であり、光ディスクケースの開閉を可能としている。底板３の外表面には光ディスクに記録された内容を記入するために罫線が引かれたコンテンツ記入領域１３や、光ディスク１のタイトルなどを記入するための背表紙タイトル表示領域２３が設けてある。図４において矢印Ｚで示すように、下ケース１２の上には、収納される光ディスク１の位置決め孔１ａを位置決め突起１４ａで保持する中ケース１４が置かれ、最後に上ケース１１がかぶせられている。矢印Ｄで示す部分は背表紙タイトル表示領域２３の内容を側壁１０に投影するための背表紙タイトル表示領域投影手段であり、詳しくは後述する。
【００２２】コンテンツ記入領域１３と背表紙タイトル表示領域２３の作成方法としては、当該領域にラベル紙を貼り付けたり、印刷によって当該領域を筆記可能な面粗さと色を持つ面状態に仕上げたり、光ディスクケースの射出成型金型の表面を粗くし、射出成型時にこの金型の面粗さをプラスチック成型品の表面に転写したりすること等によって形成することができるが、本発明の効果をより有効に発揮するためには背表紙タイトル表示領域２３は出来るだけ可視光領域において透明で、筆記性に優れた表面状態を有する材料であることが望ましい。このような材料は既にインクジェットプリンタ用ＯＨＰ（オーバーヘッドプロジェクタ）シートなどにおいて実用化されている。
【００２３】図５は図１におけるＡ−Ａ断面の主要部拡大説明図であり、図４における背表紙タイトル表示領域投影手段Ｄの第１の例を示すものである。３０は背表紙タイトル表示領域投影手段であり、底板３、天板２と傾斜角４５°の傾斜面３０ａを有している。背表紙タイトル表示領域投影手段３０は底板３の一部として同一の透明プラスチック材料で射出成型されている。一般的に光ディスクケースは可視光領域で光学的に透明なスチロール樹脂のようなプラスチック材料が用いられているが、スチロール樹脂をはじめとする透明プラスチック材料の屈折率は１．５程度であるため、全反射角度は約４２°である。図５のように背表紙タイトル表示領域２３から発せられた光線２４は４５°の傾斜面３０ａにおいて入射角度が臨界角４２°より大きいため、全反射を起こし効率よく光線２５となり、背表紙タイトル表示領域２３が側壁１０に投影される。視点ＥＰ１から見た背表紙タイトル表示領域２３の文字は傾斜面３０ａで反射されるために、視点ＥＰ２から見た場合も正像の正しい文字として見ることが出来る。図５の背表紙タイトル表示領域投影手段の第１の例では視点ＥＰ１から見る背表紙タイトル表示領域２３の文字の大きさと、視点ＥＰ２から見える文字の大きさは等しいため、壁面１０が薄い光ディスクケースの場合は、背表紙タイトル表示領域２３の文字の大きさもその厚さに合わせた大きさで書く必要がある。しかし、底板３の様な広い面積の一部に背表紙タイトルの文字を書くことが出来る点や、コンテンツ領域１３と一体化された透明なラベルに予め記入しておいてから、底板３の外表面に貼り付けることが可能であることなどから壁面１０に直接タイトル文字を書く場合に比べて筆記性に優れている。
【００２４】
【実施例２】図６〜図８は本発明の請求項１、請求項３に関する第２の実施例を示す光ディスクケースの構成図である。図６は図１におけるＡ−Ａ断面の主要部拡大説明図であり、図４における背表紙タイトル表示領域投影手段Ｄの第２の例を示すものである。また図７は図６のＹ部分の拡大図である。４０は背表紙タイトル表示領域投影手段であり、底板３、天板２と４５°の傾斜角をなす傾斜面５０ａと、底板３、天板２と平行な平行面５０ｂが交互に接合された階段状斜面５０を有している。背表紙タイトル表示領域投影手段４０は底板３の一部として同一の透明プラスチック材料で射出成型されている。一般的に光ディスクケースは可視光領域で光学的に透明なスチロール樹脂のようなプラスチック材料が用いられているが、スチロール樹脂をはじめとする透明プラスチック材料の屈折率は１．５程度であるため、全反射角度は約４２°である。図６のように背表紙タイトル表示領域２３から発せられた光線３１は傾斜角４５°の傾斜面５０ａにおいて入射角度が臨界角４２°より大きいため、全反射を起こし効率よく光線３３となり、側壁１０を投影する。一方光線３１の中で平行面５０ｂに到達した光線は平行面５０ｂを透過し、透過光線３２となる。図７において背表紙タイトル表示領域２３に書かれた文字の中で、領域２３ａの部分は光線３３となり側壁１０に投影されるが、領域２３ｂの部分は透過光線３２となり側壁１０へは到達しない。
【００２５】図８は図６の視点ＥＰ３と視点ＥＰ４から見える文字の状態をシミュレーションしたものである。図８（ａ）は視点ＥＰ３から見たもので背表紙タイトル表示領域２３に書かれた文字である。図８（ｂ）は視点ＥＰ３から見える背表紙タイトル表示領域２３に書かれた文字の中で、側壁１０に到達しない領域２３ｂの部分を削除した文字である。図８（ｃ）は視点ＥＰ４から見える文字である。このシミュレーションでは実際の市販の光ディスクケースに近い寸法を用いるために、図６の背表紙タイトル表示領域２３の幅Ｋを１２ミリ、側壁１０の投影幅ＲをＫの半分の６ミリとし、傾斜面５０ａを１０段、平行面５０ｂを９個とした。視点ＥＰ３から見た背表紙タイトル表示領域２３の文字は傾斜面５０ａで反射されるために、前記の第１の例と同様に視点ＥＰ４から見た場合も正像の正しい文字として見ることが出来る。図８（ｃ）は（ａ）の文字に比べて情報量が約半分になっているが、背表紙タイトルとしての視認性としては問題ないレベルである。図６の背表紙タイトル表示領域投影手段の第２の例では視点ＥＰ３から見る背表紙タイトル表示領域２３の文字の大きさは、視点ＥＰ４から見える文字に比べて２倍の幅で書くことが出来るため、側壁１０に直接背表紙タイトルを筆記する場合より格段に筆記性に優れている。
【００２６】以上の実施例１，実施例２の説明では背表紙タイトル表示領域２３を底板３の外表面に形成した例を示したが、天板２の外表面に形成することも可能であり、同様の効果が得られる。
【００２７】
【発明の効果】本発明の請求項１に記載の光ディスクケースによれば、内部に収納される光ディスクの表裏面と平行な底板と、光ディスクに対して底板と反対側に位置し、光ディスクの表裏面に平行な天板と、底板と天板の各辺に接合され、底板および天板と略直角な側壁とから構成された光ディスクケースであって、底板外表面または天板外表面の少なくともいずれかには、収納されている光ディスクのタイトル等を表示する背表紙タイトル表示領域が設けられ、光ディスクケース内部には、この背表紙タイトル表示領域に表示された表示内容を側壁に投影する背表紙タイトル表示領域投影手段が構成されていることにより、天板２や底板３の様な広い面積の一部に背表紙タイトルの文字を書くことが出来るため筆記性に大変優れる点や、コンテンツ領域１３と背表紙タイトル表示領域２３を一体化した透明なラベルに予め記入しておいてから、天板２、底板３の外表面に貼り付けることにより、壁面１０に背表紙タイトルの文字を正像で投影できるなどの優れた効果を有している。
【００２８】本発明の請求項２に記載の光ディスクケースによれば、請求項１に記載の光ディスクケースにおいて、背表紙タイトル表示領域投影手段は底板と天板に対して４５°の傾斜角を有する構成になっているために、底板または天板の外表面に設けられた背表紙タイトル表示領域からの光線を、底板および天板と略直角な側壁に正像として投影し、背表紙タイトルとしての優れた視認性を提供出来るという優れた効果を有している。
【００２９】本発明の請求項３に記載の光ディスクケースは、請求項１に記載の光ディスクケースにおいて、背表紙タイトル表示領域投影手段は底板と天板に対して傾斜角４５°の傾斜面と、底板と天板に対して平行な平行面が交互に接合された階段形状に構成されているため、傾斜面間に挿入される平行面の幅を適当に設定することによって、背表紙タイトル表示領域の面積と、この背表紙タイトル表示領域の内容が投影される底板および天板と略直角な側壁の面積比を自由に設定することができ、側壁１０のような狭い領域に直接背表紙タイトルを記入する場合に比べて、天板２，底板３の外表面に設けられた面積の広い背表紙タイトル表示領域２３に背表紙タイトルの文字を記入することが出来るので筆記性に大変優れ、背表紙タイトルとしての優れた視認性も提供出来るという優れた効果を有している。
【図面の簡単な説明】以下の図面において付されている番号には、見えている部品個々には矢印の無い引き出し線を、見えていない部品には矢印のある引き出し線を用いている。また、上ケース、下ケースなど複数の部品で構成されているものについては矢印のある引き出し線を使用し、さらに番号には下線を付与している。
【図１】本発明の実施例による光ディスクケースの上ケースを閉じている状
態を示す構成図
【図２】本発明の実施例による光ディスクケースの上ケースを開いている状
態を示す構成図
【図３】本発明の実施例による光ディスクケースの上ケースを開いて光ディ
スクを取り出している状態を示す構成図
【図４】本発明の実施例による光ディスクケースの分解図
【図５】本発明の実施例による背表紙タイトル表示領域投影手段の第１の例
を示す断面図
【図６】本発明の実施例による背表紙タイトル表示領域投影手段の第２の例
を示す断面図
【図７】本発明の実施例による背表紙タイトル表示領域投影手段の第２の例
における光路を示す図６のＹ部拡大説明図
【図８】本発明の実施例による背表紙タイトル表示領域投影手段の第２の例
における背表紙タイトルの文字の見え方を示す説明図
【図９】従来の光ディスクケースの分解構造図
【図１０】従来例の光ディスクケースの組み立て図
【図１１】図１０の従来の光ディスクケースのＸ−Ｘ断面図
【図１２】従来の記録型光ディスク用ケース（カートリッジ構造）の構成図
【符号の説明】
１、６１、８１      光ディスク
２、６２            天板
３、６３            底板
４、５、６、７、８、９、１０            側壁
６４、６６、６７、６８、６９、７０      側壁
１４、７４                中ケース
１３、８５                コンテンツ記入領域
２３、７３ａ  、８６      背表紙タイトル表示領域
３０、４０                背表紙タイトル表示領域投影手段
７３                      下ラベル
８２                      光ディスクカートリッジ
８３                      シャッター
【図１】
2004192772.tif 000003
【図２】
2004192772.tif 000004
【図３】
2004192772.tif 000005
【図４】
2004192772.tif 000006
【図５】
2004192772.tif 000007
【図６】
2004192772.tif 000008
【図７】
2004192772.tif 000009
【図８】
2004192772.tif 000010
【図９】
2004192772.tif 000011
【図１０】
2004192772.tif 000012
【図１１】
2004192772.tif 000013
【図１２】
2004192772.tif 000014